(57)【特許請求の範囲】
【請求項１】
ＡＴＭ（Ａｓｙｎｃｈｒｏｎｏｕｓ  Ｔｒａｎｓｆｅｒ  Ｍｏｄｅ）アドレス及びＭＡＣ（Ｍｅｄｉａ  Ａｃｃｅｓｓ  Ｃｏｎｔｒｏｌ）アドレスの登録、取得を実行するＬＥＣ（ＬＡＮ  Ｅｍｕｌａｔｉｏｎ  Ｃｌｉｅｎｔ）と、前記ＭＡＣアドレスと前記ＡＴＭアドレスとの間のアドレス解決を実行するＬＥＳ（ＬＡＮ  Ｅｍｕｌａｔｉｏｎ  Ｓｅｒｖｅｒ）とを用いてＬＡＮ（Ｌｏｃａｌ  Ａｒｅａ  Ｎｅｔｗｏｒｋ）エミュレーションを実行するＡＴＭネットワークであって、
前記ＬＥＣと前記ＬＥＳとの間で授受されかつ拡張されたメッセージを用いて少なくとも前記ＬＥＣ間で開設したＳＶＣ（Ｓｗｉｔｃｈｅｄ  ＶｉｒｔｕａｌＣｏｎｎｅｃｔｉｏｎ）を前記ＬＥＳと前記ＬＥＣとの間のＳＶＣ切断が発生した際にも保持する手段を有し、
その保持したＳＶＣを用いて当該ＳＶＣ切断が発生した際にも前記ＬＥＣ間の通信を継続可能としたことを特徴とするＡＴＭネットワーク。
【請求項２】
前記ＳＶＣ切断後に前記ＬＥＣから前記ＬＥＳへの再接続を行う際に前記ＬＥＣから前記ＬＥＳに直接接続しにいく手段を含むことを特徴とする請求項１記載のＡＴＭネットワーク。
【請求項３】
前記ＬＥＣがネットワークへの参加を行うためのＪＯＩＮメッセージの拡張によって前期ＬＥＣ間で前記ＳＶＣを保持可能とすることを特徴とする請求項１または請求項２記載のＡＴＭネットワーク。
【請求項４】
前記ＪＯＩＮメッセージの拡張は、前記ＬＥＳとのＳＶＣ切断発生時に前記ＬＥＣ間のＳＶＣを保持する時間をＪＯＩＮリクエストに付加して前記ＬＥＳに送信し、前記ＬＥＳ側で当該時間に対応している場合にその時間を付加したＪＯＩＮレスポンスを前記ＬＥＣに返送することで行うことを特徴とする請求項３記載のＡＴＭネットワーク。
【請求項５】
ＡＴＭ（Ａｓｙｎｃｈｒｏｎｏｕｓ  Ｔｒａｎｓｆｅｒ  Ｍｏｄｅ）アドレス及びＭＡＣ（Ｍｅｄｉａ  Ａｃｃｅｓｓ  Ｃｏｎｔｒｏｌ）アドレスの登録、取得を実行するＬＥＣ（ＬＡＮ  Ｅｍｕｌａｔｉｏｎ  Ｃｌｉｅｎｔ）と、前記ＭＡＣアドレスと前記ＡＴＭアドレスとの間のアドレス解決を実行するＬＥＳ（ＬＡＮ  Ｅｍｕｌａｔｉｏｎ  Ｓｅｒｖｅｒ）とを用いてＬＡＮ（Ｌｏｃａｌ  Ａｒｅａ  Ｎｅｔｗｏｒｋ）エミュレーションを実行するＡＴＭネットワークのネットワーク管理方法であって、
前記ＬＥＣと前記ＬＥＳとの間で授受されかつ拡張されたメッセージを用いて少なくとも前記ＬＥＣ間で開設したＳＶＣ（Ｓｗｉｔｃｈｅｄ  ＶｉｒｔｕａｌＣｏｎｎｅｃｔｉｏｎ）を前記ＬＥＳと前記ＬＥＣとの間のＳＶＣ切断が発生した際にも保持するステップと、その保持したＳＶＣを用いて当該ＳＶＣ切断が発生した際にも前記ＬＥＣ間の通信を継続するステップとを前記ＬＥＣに有することを特徴とするネットワーク管理方法。
【請求項６】
前記ＳＶＣ切断後に前記ＬＥＣから前記ＬＥＳへの再接続を行う際に前記ＬＥＳに直接接続しにいくステップを前記ＬＥＣに含むことを特徴とする請求項５記載のネットワーク管理方法。
【請求項７】
前記ＬＥＣがネットワークへの参加を行うためのＪＯＩＮメッセージの拡張によって前期ＬＥＣ間で前記ＳＶＣを保持可能とすることを特徴とする請求項５または請求項６記載のネットワーク管理方法。
【請求項８】
前記ＪＯＩＮメッセージの拡張は、前記ＬＥＳとのＳＶＣ切断発生時に前記ＬＥＣ間のＳＶＣを保持する時間をＪＯＩＮリクエストに付加して前記ＬＥＳに送信し、前記ＬＥＳ側で当該時間に対応している場合にその時間を付加したＪＯＩＮレスポンスを前記ＬＥＣに返送することで行うことを特徴とする請求項７記載のネットワーク管理方法。
【発明の詳細な説明】
【０００１】
【発明の属する技術分野】
本発明はＡＴＭネットワーク及びそれに用いるネットワーク管理方法に関し、特にＬＡＮ（Ｌｏｃａｌ  Ａｒｅａ  Ｎｅｔｗｏｒｋ）エミュレーションネットワークにおけるＳＶＣ（Ｓｗｉｔｃｈｅｄ  Ｖｉｒｔｕａｌ  Ｃｏｎｎｅｃｔｉｏｎ）瞬断による通信不可を回避する方法に関する。
【０００２】
【従来の技術】
従来、ＡＴＭ（Ａｓｙｎｃｈｒｏｎｏｕｓ  Ｔｒａｎｓｆｅｒ  Ｍｏｄｅ：非同期転送モード）ネットワークにおいては、１対１のコネクション型通信が基本であるため、同報機能を持つコネクションレス型の既存のＬＡＮ［イーサネット（Ｒ）やＦＤＤＩ（Ｆｉｂｅｒ  Ｄｉｓｔｒｉｂｕｔｅｄ  Ｄａｔａ  Ｉｎｔｅｒｆａｃｅ）等］で使ってきたアプリケーションをそのまま動かすことができない。
【０００３】
そこで、既存のＬＡＮをエミュレートしてＡＴＭ上の通信を実行するＬＡＮエミュレーションがＡＴＭフォーラムで標準化されている。ＬＡＮエミュレーション１．０仕様ではＡＴＭの特徴であるアプリケーションに応じた帯域やＱｏＳ（Ｑｕａｌｉｔｙ  ｏｆ  Ｓｅｒｖｉｃｅ）の制御を行えなかったが、ＬＡＮエミュレーション２．０仕様では通信経路毎のＱｏＳ制御が可能となっている。
【０００４】
ＬＡＮエミュレーションの構成要素には、ＬＥＣ（ＬＡＮ  Ｅｍｕｌａｔｉｏｎ  Ｃｌｉｅｎｔ）、ＬＥＳ（ＬＡＮ  Ｅｍｕｌａｔｉｏｎ  Ｓｅｒｖｅｒ）、ＬＥＣＳ（ＬＡＮ  Ｅｍｕｌａｔｉｏｎ  Ｃｏｎｆｉｇｕｒａｔｉｏｎ  Ｓｅｒｖｅｒ）、ＢＵＳ（Ｂｒｏａｄｃａｓｔ  ａｎｄ  Ｕｎｋｎｏｗｎ  Ｓｅｒｖｅｒ）という４種類のノード／機能がある。
【０００５】
ＬＥＣはＡＴＭアドレス及びＭＡＣ（Ｍｅｄｉａ  Ａｃｃｅｓｓ  Ｃｏｎｔｒｏｌ）アドレスの登録、取得を実行するクライアント機能であり、自身のアドレスをＬＥＳに送出し、アドレスを登録する。
【０００６】
ＬＥＳはＭＡＣアドレスとＡＴＭアドレスとの間のアドレス解決を実行するサーバであり、各ＬＥＣがＬＥＳに申告したＭＡＣアドレスとＡＴＭアドレスとを基に、アドレステーブルを作成する。
【０００７】
ＬＥＣＳはＬＥＣが最初に通信することになるサーバであり、ＬＥＣからの問い合わせに対してＬＥＳのＡＴＭアドレスを回答する。ＢＵＳは既存のＬＡＮのブロードキャスト及びマルチキャストを実現する機能であり、ＬＥＣがＬＡＮ側から受信したブロードキャスト用のデータや自ら送出するブロードキャスト用のデータが転送されてくると、これらのデータを登録されている全てのＬＥＣに送信する。
【０００８】
【発明が解決しようとする課題】
上述した従来のＬＡＮエミュレーション環境では、ＬＥＳとの切断が発生した場合、すべてのＳＶＣを一旦解放し、ＬＥＳとの再接続からやり直さなければならない。
【０００９】
そのため、瞬断等で、あるＬＥＣ間のＳＶＣのみが切断された場合には、そのＳＶＣだけの開設をやり直すだけでよいが、ＬＥＳとのＳＶＣが切断された場合には、張れていた全てのＳＶＣについて開設し直す必要があり、更に負荷が高まる状況である。
【００１０】
そこで、本発明の目的は上記の問題点を解消し、ＬＥＳとのＳＶＣが瞬断されてもＬＥＣ間での通信を行うことができるＡＴＭネットワーク及びそれに用いるネットワーク管理方法を提供することにある。
【００１１】
【課題を解決するための手段】
本発明によるＡＴＭネットワークは、ＡＴＭ（Ａｓｙｎｃｈｒｏｎｏｕｓ  Ｔｒａｎｓｆｅｒ  Ｍｏｄｅ）アドレス及びＭＡＣ（Ｍｅｄｉａ  Ａｃｃｅｓｓ  Ｃｏｎｔｒｏｌ）アドレスの登録、取得を実行するＬＥＣ（ＬＡＮ  Ｅｍｕｌａｔｉｏｎ  Ｃｌｉｅｎｔ）と、前記ＭＡＣアドレスと前記ＡＴＭアドレスとの間のアドレス解決を実行するＬＥＳ（ＬＡＮ  Ｅｍｕｌａｔｉｏｎ  Ｓｅｒｖｅｒ）とを用いてＬＡＮ  （Ｌｏｃａｌ  Ａｒｅａ  Ｎｅｔｗｏｒｋ）エミュレーションを実行するＡＴＭネットワークであって、
前記ＬＥＣと前記ＬＥＳとの間で授受されかつ拡張されたメッセージを用いて少なくとも前記ＬＥＣ間で開設したＳＶＣ（Ｓｗｉｔｃｈｅｄ  ＶｉｒｔｕａｌＣｏｎｎｅｃｔｉｏｎ）を前記ＬＥＳと前記ＬＥＣとの間のＳＶＣ切断が発生した際に保持する手段を備え、
その保持したＳＶＣを用いて当該ＳＶＣ切断が発生した際に前記ＬＥＣ間の通信を継続可能としている。
【００１２】
本発明によるネットワーク管理方法は、ＡＴＭ（Ａｓｙｎｃｈｒｏｎｏｕｓ  Ｔｒａｎｓｆｅｒ  Ｍｏｄｅ）アドレス及びＭＡＣ（Ｍｅｄｉａ  ＡｃｃｅｓｓＣｏｎｔｒｏｌ）アドレスの登録、取得を実行するＬＥＣ（ＬＡＮ  Ｅｍｕｌａｔｉｏｎ  Ｃｌｉｅｎｔ）と、前記ＭＡＣアドレスと前記ＡＴＭアドレスとの間のアドレス解決を実行するＬＥＳ（ＬＡＮ  Ｅｍｕｌａｔｉｏｎ  Ｓｅｒｖｅｒ）とを用いてＬＡＮ（Ｌｏｃａｌ  Ａｒｅａ  Ｎｅｔｗｏｒｋ）エミュレーションを実行するＡＴＭネットワークのネットワーク管理方法であって、
前記ＬＥＣと前記ＬＥＳとの間で授受されかつ拡張されたメッセージを用いて少なくとも前記ＬＥＣ間で開設したＳＶＣ（Ｓｗｉｔｃｈｅｄ  ＶｉｒｔｕａｌＣｏｎｎｅｃｔｉｏｎ）を前記ＬＥＳと前記ＬＥＣとの間のＳＶＣ切断が発生した際にも保持するステップと、その保持したＳＶＣを用いて当該ＳＶＣ切断が発生した際にも前記ＬＥＣ間の通信を継続するステップとを前記ＬＥＣに備えている。
【００１３】
すなわち、本発明のＡＴＭネットワークは、ＬＡＮ（Ｌｏｃａｌ  Ａｒｅａ  Ｎｅｔｗｏｒｋ）エミュレーションの実行時におけるＬＥＣ（ＬＡＮ  Ｅｍｕｌａｔｉｏｎ  Ｃｌｉｅｎｔ）間通信について、ＬＥＳ（ＬＡＮ  Ｅｍｕｌａｔｉｏｎ  Ｓｅｒｖｅｒ）とのメッセージの拡張を行い、ＬＥＳとＬＥＣとの間のＳＶＣ（Ｓｗｉｔｃｈｅｄ  Ｖｉｒｔｕａｌ  Ｃｏｎｎｅｃｔｉｏｎ）切断が発生した場合でもＬＥＣ間で開設したＳＶＣを保持し、ＬＥＣ間の通信を継続可能としたことを特徴とする。
【００１４】
より具体的に説明すると、本発明のＡＴＭネットワークでは、ＪＯＩＮメッセージの拡張によってＬＥＣ間でＳＶＣを保持可能とすることで、ＬＥＳとのＳＶＣが瞬断されても、ＬＥＣ間での通信を可能としている。
【００１５】
ＪＯＩＮメッセージの拡張はＬＥＣがネットワークへの参加を行うためのＪＯＩＮリクエストに、ＬＥＳとのＳＶＣ切断発生時にＬＥＣ間のＳＶＣやＬＥ＿ＡＲＰ（ＭＡＣアドレスとＡＴＭアドレスとの対応付けの情報）を保持する時間( 以下、ＫＥＥＰ  ＴＩＭＥＲとする）を付加して送信し、ＬＥＳ側でＫＥＥＰ  ＴＩＭＥＲに対応している場合に、その時間を付加したＪＯＩＮレスポンスを返送することで行われる。
【００１６】
また、本発明では、ＫＥＥＰ  ＴＩＭＥＲ時間内にＬＥＳとの再接続が行えれば、プロキシのＬＥ＿ＡＲＰを登録するＲＥＧＩＳＴＥＲリクエストや、ＢＵＳ（Ｂｒｏａｄｃａｓｔ  ａｎｄ  Ｕｎｋｎｏｗｎ  Ｓｅｒｖｅｒ) のＬＥ＿ＡＲＰ解決が不要となり、処理が簡略化される。
【００１７】
つまり、本発明では、ＬＥＣ間でのＳＶＣを保持することによって、ＬＥＳとのＳＶＣ瞬断による通信不可を回避し、ＳＶＣ瞬断から再接続する場合に直接ＬＥＳに接続しにいくことで、ＬＥＣＳから再接続する場合よりも処理を簡略化することが可能となる。
【００１８】
【発明の実施の形態】
次に、本発明の実施例について図面を参照して説明する。図１は本発明の一実施例によるＡＴＭ（Ａｓｙｎｃｈｒｏｎｏｕｓ  Ｔｒａｎｓｆｅｒ  Ｍｏｄｅ：非同期転送モード）ネットワークの構成を示すブロック図である。図１において、本発明の一実施例によるＡＴＭネットワークはＬＥＣ（ＬＡＮ  Ｅｍｕｌａｔｉｏｎ  Ｃｌｉｅｎｔ）端末１１〜１４と、ＬＥＣＳ（ＬＡＮ  Ｅｍｕｌａｔｉｏｎ  Ｃｏｎｆｉｇｕｒａｔｉｏｎ  Ｓｅｒｖｅｒ) 端末２１と、ＬＥＳ（ＬＡＮ  Ｅｍｕｌａｔｉｏｎ  Ｓｅｒｖｅｒ）端末２２と、ＢＵＳ（Ｂｒｏａｄｃａｓｔ  ａｎｄ  Ｕｎｋｎｏｗｎ  Ｓｅｒｖｅｒ) 端末２３と、ＡＴＭスイッチ３１〜３３とから構成されている。
【００１９】
ＬＥＣ端末１１〜１４はＬＥＣが実装されたクライアント端末であり、ＬＥＣＳ端末２１はＬＥＣＳが実装されたＬＥ（ＬＡＮ  Ｅｍｕｌａｔｉｏｎ）サーバ端末であり、ＬＥＳ端末２２はＬＥＳが実装されたＬＥサーバ端末であり、ＢＵＳ端末２３はＢＵＳが実装されたＬＥサーバ端末である。ここで、ＬＥＣ、ＬＥＣＳ、ＬＥＳ、ＢＵＳについては上述した従来の技術で述べた通りである。
【００２０】
ＡＴＭスイッチ３１にはＬＥＣＳ端末２１と、ＬＥＳ端末２２と、ＢＵＳ端末２３とがそれぞれ接続されている。ＡＴＭスイッチ３２にはＬＥＣ端末１１，１２，１４が接続され、ＡＴＭスイッチ３３にはＬＥＣ端末１３が接続されている。ここで、ＬＥＣ端末１４はＬＥＣ端末１１のプロキシ配下にぶら下がっているものとする。
【００２１】
ＡＴＭスイッチ３１〜３３間は相互に接続されており、ＬＥＣ端末１１〜１４全てとＬＥＣＳ端末２１とが次に述べるＪＯＩＮメッセージの拡張に対応しているものとする。
【００２２】
ＪＯＩＮメッセージの拡張はＬＥＣ端末１１〜１４がネットワークへの参加を行うためのＪＯＩＮ（参加）リクエストに、ＬＥＳ端末２２とのＳＶＣ（Ｓｗｉｔｃｈｅｄ  Ｖｉｒｔｕａｌ  Ｃｏｎｎｅｃｔｉｏｎ）切断発生時にＬＥＣ端末１１〜１４間のＳＶＣやＬＥ＿ＡＲＰ［ＭＡＣ（Ｍｅｄｉａ  Ａｃｃｅｓｓ  Ｃｏｎｔｒｏｌ）アドレスとＡＴＭアドレスとの対応付けの情報］を保持する時間( 以下、ＫＥＥＰ  ＴＩＭＥＲとする）を示すＴＬＶ（Ｔｙｐｅ／Ｌｅｎｇｔｈ／Ｖａｌｕｅ）を付加して送信し、ＬＥＳ端末２２側でＫＥＥＰ  ＴＩＭＥＲに対応している場合にその時間をＴＬＶに格納してＪＯＩＮレスポンスを返送することで行われる。
【００２３】
ここで、ＴＬＶは４バイトのＴｙｐｅ部と、１バイトのＬｅｎｇｔｈ部と、Ｖａｌｕｅ部とからなり、Ｌｅｎｇｔｈ部の値がＶａｌｕｅ部の長さを表している。この場合、パラメータの種類をＴｙｐｅ部に、その値をＶａｌｕｅ部に入れることで、あるパラメータの値が指定される。
【００２４】
本実施例では、ＬＡＮエミュレーションネットワーク環境におけるＬＥＣ間通信で、ＬＥＣ端末１１〜１４間のＳＶＣをＫＥＥＰ  ＴＩＥＭＲの時間内だけ保持することで、ＬＥＳ端末２２との間のＳＶＣ瞬断による通信不可状態を回避している。
【００２５】
図２は本発明の一実施例によるＡＴＭネットワークの動作を示すフローチャートである。これら図１及び図２を参照して本発明の一実施例によるＡＴＭネットワークの動作について説明する。
【００２６】
ＬＥＣ端末１１，１２，１３はネットワーク内において既知のＷｅｌｌ  Ｋｎｏｗｎアドレス等を用いてＬＥＣＳ端末２１に接続し、コンフィグレーション情報を取得する。
【００２７】
ＬＥＣ端末１１〜１４各々は取得したコンフィグレーション情報からＬＥＳ端末２２のＡＴＭアドレスを知り、ＬＥＳ端末２２にＳＶＣを開設する。ＬＥＣ端末１１〜１４各々は上記のＫＥＥＰ  ＴＩＭＥＲに対応しているため、ＫＥＥＰＴＩＭＥＲのＴＬＶを付加したＪＯＩＮリクエストをＬＥＳ端末２２に送信する（図２ステップＳ１）。
【００２８】
ＬＥＳ端末２２はＫＥＥＰ  ＴＩＭＥＲ付きのＪＯＩＮリクエストを受信すると、ＫＥＥＰ  ＴＩＭＥＲに対応していれば、ＫＥＥＰ  ＴＩＭＥＲの保持時間の値Ｔを設定したＴＬＶを付加してＪＯＩＮレスポンスを成功で返却する。逆に、ＬＥＳ端末２２はＫＥＥＰ  ＴＩＭＥＲに対応していなければ、ＪＯＩＮレスポンスを失敗で返す（図２ステップＳ２）。
【００２９】
ＬＥＣ端末１１〜１４各々はＪＯＩＮレスポンスが成功の場合、ＫＥＥＰ  ＴＩＭＥＲのＴＬＶに設定されたＫＥＥＰ  ＴＩＭＥＲの値Ｔを記録し、以降、通常通りにＢＵＳ端末２３まで接続し、通信可能となる( 図２ステップＳ３）。
【００３０】
ＬＥＣ端末１１〜１４各々はＪＯＩＮレスポンスが失敗の場合、ＫＥＥＰ  ＴＩＭＥＲのＴＬＶが付いていない普通のＪＯＩＮリクエストを送信し( 図２ステップＳ４）、以降は通常の動作となる。
【００３１】
ここまでの処理で準備が完了する。ここから、ＬＥＣ端末１１とＬＥＣ端末１３とが通信中に、ＬＥＣ端末１１とＬＥＳ端末２２との間のＳＶＣが切断した場合における動作について説明する。
【００３２】
ＫＥＥＰ  ＴＩＭＥＲに対応していないＬＥＣ端末１１は、ＳＶＣやＬＥ＿ＡＲＰ等の全ての情報を削除し、ＬＥＣＳ端末２１への再接続処理を行う。ＬＥＳ端末２２はＬＥＣ端末１１に割り当てたＬＥＣＩＤやそのＭＡＣアドレス情報、ＡＴＭアドレス情報を削除する（図２ステップＳ５，Ｓ７）。
【００３３】
ＫＥＥＰ  ＴＩＭＥＲに対応しているＬＥＣ端末１１は、時間Ｔの間、ＬＥＣ端末１３との間で開設したＳＶＣやＬＥ＿ＡＲＰキャッシュを保持し、ＬＥＣ端末１３との通信を継続する。また、ＬＥＳ端末２２は、時間Ｔの間、ＬＥＣ端末１１に割り当てたＬＥＣＩＤ（ＬＥＣの識別情報）やそのＡＴＭアドレス情報等を保持する（図２ステップＳ５，Ｓ６）。
【００３４】
ＬＥＣ端末１１は、時間Ｔの間に、ＬＥＳ端末２２との間にＳＶＣの開設を試みる（図２ステップＳ８）。時間Ｔ以内にＳＶＣが開設できなかった場合、ＬＥＣ端末１１はＳＶＣやＬＥ＿ＡＲＰ等の全ての情報を削除し、ＬＥＣＳ端末２１への再接続処理を行う。ＬＥＳ端末２２はＬＥＣ端末１１に割り当てたＬＥＣＩＤやそのＭＡＣアドレス情報、ＡＴＭアドレス情報を削除する（図２ステップＳ１０）。
【００３５】
時間Ｔ以内にＳＶＣが開設できた場合、ＬＥＣ端末１１は前回のＪＯＩＮレスポンスで割り当てられたものと同じＬＥＣＩＤを設定し、ＬＥＳ端末２２へＪＯＩＮリクエストを送信する。ＬＥＳ端末２２ではＪＯＩＮリクエストにＬＥＣＩＤが設定されている場合、保持しているＬＥＣＩＤとＡＴＭアドレスとのマッチングを行う（図２ステップＳ９）。
【００３６】
ＬＥＳ端末２２では保持しているＬＥＣＩＤとＡＴＭアドレスとのマッチングで、指定されたＬＥＣＩＤが割り当て済みでなければ、失敗で応答する（図２ステップＳ１１）。この場合、ＬＥＣ端末１１はＳＶＣやＬＥ＿ＡＲＰ等の全ての情報を削除し、ＬＥＣＳ端末２１への再接続処理を行う。ＬＥＳ端末２２はＬＥＣ端末１１に割り当てたＬＥＣＩＤやそのＭＡＣアドレス情報、ＡＴＭアドレス情報を削除する（図２ステップＳ１４）。
【００３７】
また、ＬＥＳ端末２２では指定されたＬＥＣＩＤが異なるＡＴＭアドレスのＬＥＣ端末に割り当て済みの場合、その時点で割り当て可能な別のＬＥＣＩＤを設定し、成功で応答する図２ステップＳ１１）。この場合、ＬＥＣ端末１１はＳＶＣやＬＥ＿ＡＲＰ等の全ての情報を削除し、通常通り、ＬＥＳ端末２２へのＲＥＧＩＳＴリクエスト以降の処理を行う（図２ステップＳ１３）。
【００３８】
さらに、指定されたＬＥＣＩＤとＡＴＭアドレスとの対応がとれた場合、ＬＥＳ端末２２ではそのＬＥＣＩＤで成功の応答を返す（図２ステップＳ１１）。この場合、ＬＥＣＩＤの「０００１」とＡＴＭアドレスの「３９３９２ｆ・・・１１」のマッチングがとれるため、ＬＥＳ端末２２はＬＥＣＩＤを変更せずに、ＬＥＳ端末１１に成功のＪＯＩＮレスポンスを返す。
【００３９】
ＬＥＣ端末１１では自分が指定したＬＥＣＩＤの「０００１」が変更されずに、成功のＪＯＩＮレスポンスが返されたので、いままでの情報をそのまま保持し、サービスを続ける（図２ステップＳ１２）。ここで、ＢＵＳ端末２３とのＳＶＣが切断されている場合には、ＢＵＳ端末２３とも再接続を行う。
【００４０】
また、ＬＥＣＩＤが変更されずにＪＯＩＮレスポンスが成功した場合、ＬＥＣ端末１１ではＲＥＧＩＳＴＥＲリクエストで登録する。プロキシのＬＥ＿ＡＲＰ情報等  （ここではＭＡＣアドレスが「００００４Ｃ００００４４」のもの）もＬＥＳ端末２２で保持されているため、再度登録する必要は無い。
【００４１】
このように、本実施例では、ＪＯＩＮメッセージの拡張によってＬＥＣ端末１１〜１４間でＳＶＣを保持することができるので、ＬＥＳ端末２２とのＳＶＣが瞬断されても、ＬＥＣ端末１１〜１４間で通信可能となる。
【００４２】
また、本実施例ではＫＥＥＰ  ＴＩＭＥＲ時間内にＬＥＳ端末２２との間で再接続することができれば、プロキシのＬＥ＿ＡＲＰを登録するＲＥＧＩＳＴＥＲリクエストや、ＢＵＳ端末２３のＬＥ＿ＡＲＰ解決が不要となり、処理が簡略化される。
【００４３】
【発明の効果】
以上説明したように本発明は、ＡＴＭアドレス及びＭＡＣアドレスの登録、取得を実行するＬＥＣと、ＭＡＣアドレスとＡＴＭアドレスとの間のアドレス解決を実行するＬＥＳとを用いてＬＡＮエミュレーションを実行するＡＴＭネットワークにおいて、ＬＥＣとＬＥＳとの間で授受されかつ拡張されたメッセージを用いて少なくともＬＥＣ間で開設したＳＶＣをＬＥＳとＬＥＣとの間のＳＶＣ切断が発生した際に保持し、その保持したＳＶＣを用いて当該ＳＶＣ切断が発生した際にＬＥＣ間の通信を継続可能とすることによって、ＬＥＳとのＳＶＣが瞬断されてもＬＥＣ間での通信を行うことができるという効果が得られる。
【図面の簡単な説明】
【図１】本発明の一実施例によるＡＴＭネットワークの構成を示すブロック図である。
【図２】本発明の一実施例によるＡＴＭネットワークの動作を示すフローチャートである。
【符号の説明】
１１〜１４  ＬＥＣ端末
２１  ＬＥＣＳ端末
２２  ＬＥＳ端末
２３  ＢＵＳ端末
３１〜３３  ＡＴＭスイッチ
【図１】
0003666472.tif 000002
【図２】
0003666472.tif 000003